(57)【要約】【課題】  映像や音声のデジタルコンテンツの安全な保管場所を提供し、長期に渡り、デジタルコンテンツをチェックイン及びチェックアウトさせることが可能な再生端末、コンテンツ保管装置及びコンテンツ配信システムを提供する。【解決手段】  コンテンツ配信システム１００は、第１の再生端末１、第２の再生端末２、コンテンツ保管装置３、コンテンツ保管装置認証局４及びコンテンツ配信サーバ５より構成され、第１の再生端末１及び第２の再生端末２は、コンテンツ購入要求を送信するコンテンツ購入要求送信手段７５ａ、コンテンツの再生を管理するコンテンツ要求管理手段７５ｂ等を備え、コンテンツ保管装置３はコンテンツ記憶部３７、ユーザ情報記憶部３８、コンテンツ記憶部３７内の情報の更新等を行うコンテンツ管理手段５５ｂ、ユーザ情報記憶部３８内の情報の更新等を行うユーザ情報管理手段５５ｃ等を備える。【選択図】      図１
2007156508.tif 000002
【特許請求の範囲】
【請求項１】
購入したコンテンツを、購入元のコンテンツ配信サーバからコンテンツ管理の正当性を証明するコンテンツ保管装置認証局より認証を受けたコンテンツ保管装置に対し転送させ保管させるコンテンツ購入要求を送信するコンテンツ購入要求送信手段と、
前記購入したコンテンツを前記コンテンツ保管装置より取得するコンテンツ要求を送信するコンテンツ要求送信手段と、
前記購入したコンテンツの再生権利を前記コンテンツ保管装置より一時譲渡させることによりコンテンツを再生する再生手段と、
前記購入したコンテンツの再生権利が一時譲渡中である場合、前記再生権利が前記コンテンツ保管装置において復活するまで前記コンテンツ保管装置及び前記購入したコンテンツの再生権利を一時譲渡されている他の装置より前記購入したコンテンツを取得させず、前記再生権利が前記コンテンツ保管装置において復活すると前記コンテンツ保管装置より前記購入したコンテンツの再生権利を一時譲渡させるコンテンツ要求管理手段
とを備えることを特徴とする再生端末。
【請求項２】
購入したコンテンツを、購入元のコンテンツ配信サーバからコンテンツ管理の正当性を証明するコンテンツ保管装置認証局より認証を受けたコンテンツ保管装置に対し転送させ保管させるコンテンツ購入要求を送信するコンテンツ購入要求送信手段と、
前記購入したコンテンツを前記コンテンツ保管装置より取得するコンテンツ要求を送信するコンテンツ要求送信手段と、
前記購入したコンテンツの再生権利を前記コンテンツ保管装置より一時譲渡させ、前記購入したコンテンツを前記コンテンツ保管装置よりコピーするか又はストリーミング再生するかのいずれかの手法によりコンテンツを再生する再生手段
とを備えることを特徴とする再生端末。
【請求項３】
購入したコンテンツを、購入元のコンテンツ配信サーバからコンテンツ管理の正当性を証明するコンテンツ保管装置認証局より認証を受けたコンテンツ保管装置に対し転送させ保管させるコンテンツ購入要求を送信するコンテンツ購入要求送信手段と、
前記購入したコンテンツを前記コンテンツ保管装置より取得するコンテンツ要求を送信するコンテンツ要求送信手段と、
前記コンテンツ保管装置に保管されているコンテンツ及びこのコンテンツの再生権利を、前記コンテンツ保管装置認証局により認証を受けた他のコンテンツ保管装置に対し転送させ保管させるコンテンツ移動依頼手段
とを備えることを特徴とする再生端末。
【請求項４】
複数のコンテンツを保持するコンテンツ配信サーバと、前記コンテンツ配信サーバにコンテンツの配信を依頼する第１の再生端末及び第２の再生端末との間に配置されるコンテンツ保管装置であって、
前記第１の再生端末及び前記第２の再生端末からのコンテンツ配信要求を基に前記コンテンツ配信サーバより配信されたコンテンツを記憶するコンテンツ記憶部と、
前記コンテンツ記憶部に格納される前記コンテンツを再生するための再生権利の一時譲渡を要求するコンテンツ要求を前記第１の再生端末及び前記第２の再生端末より受信するコンテンツ要求受信手段と、
前記コンテンツの再生権利を前記第１の再生端末に一時譲渡している際に前記第２の再生端末より前記コンテンツ要求を受信した場合、前記再生権利が前記第１の再生端末より再譲渡されるまでは前記コンテンツの再生権利を前記第２の再生端末に譲渡しないコンテンツ管理手段
とを備えることを特徴とするコンテンツ保管装置。
【請求項５】
複数のコンテンツを保持するコンテンツ配信サーバと、前記コンテンツ配信サーバにコンテンツの配信を依頼する再生端末との間に配置されるコンテンツ保管装置であって、
前記再生端末からのコンテンツ配信要求を基に前記コンテンツ配信サーバより配信されたコンテンツを記憶するコンテンツ記憶部と、
前記コンテンツ記憶部に格納されるコンテンツを再生するための再生権利の一時譲渡を要求するコンテンツ要求を前記再生端末より受信するコンテンツ要求受信手段と、
前記コンテンツを前記コンテンツ記憶部よりコピーするか又はストリーミング再生するかのいずれの手法により再生させるかを選択させた上で前記再生端末に前記コンテンツを送信するコンテンツ送信手段
とを備えることを特徴とするコンテンツ保管装置。
【請求項６】
複数のコンテンツを保持するコンテンツ配信サーバと、前記コンテンツ配信サーバにコンテンツの配信を依頼する再生端末との間に配置されるコンテンツ保管装置であって、
前記再生端末からのコンテンツ配信要求を基に前記コンテンツ配信サーバより配信されたコンテンツを記憶するコンテンツ記憶部と、
コンテンツ管理の正当性を証明するコンテンツ保管装置認証局に対し認証を提示する認証提示手段と、
前記再生端末からの要求により、前記コンテンツ保管装置認証局より認証を受けた他のコンテンツ保管装置より前記コンテンツ記憶部に格納するためのコンテンツを受信するコンテンツ受信手段と、
前記再生端末からの要求により、前記コンテンツ記憶部に格納されているコンテンツを前記コンテンツ保管装置認証局より認証を受けた他のコンテンツ保管装置に対し送信するコンテンツ送信手段
とを備えることを特徴とするコンテンツ保管装置。
【請求項７】
複数のコンテンツを格納する配信コンテンツ記憶部、受信するコンテンツ購入要求を基に前記配信コンテンツ記憶部より要求されたコンテンツを取得し、要求された転送先へコンテンツを配信するコンテンツ配信手段を備えるコンテンツ配信サーバと、
コンテンツ管理の正当性を証明するコンテンツ保管装置認証局より認証を受け、前記転送先として前記コンテンツを受信して格納するコンテンツ保管装置と、
前記購入したコンテンツを前記コンテンツ保管装置より取得するコンテンツ要求を送信するコンテンツ要求送信手段、前記購入したコンテンツの再生権利を前記コンテンツ保管装置より一時譲渡させることによりコンテンツを再生する再生手段を備える第１の再生端末と、
前記購入したコンテンツの再生権利が前記第１の再生端末に一時譲渡中である場合、前記再生権利が前記コンテンツ保管装置において復活するまで前記購入したコンテンツを前記コンテンツ保管装置及び前記第１の再生端末より取得させず、前記再生権利が前記コンテンツ保管装置において復活すると前記コンテンツ保管装置より前記購入したコンテンツの再生権利を一時譲渡させる第２の再生端末
とを有することを特徴とするコンテンツ配信システム。
【請求項８】
複数のコンテンツを格納する配信コンテンツ記憶部、受信するコンテンツ購入要求を基に前記配信コンテンツ記憶部より要求されたコンテンツを取得し、要求された転送先へコンテンツを配信するコンテンツ配信手段を備えるコンテンツ配信サーバと、
コンテンツ管理の正当性を証明するコンテンツ保管装置認証局より認証を受け、前記転送先として前記コンテンツを受信して格納するコンテンツ保管装置と、
前記購入したコンテンツを前記コンテンツ保管装置より取得するコンテンツ要求を送信するコンテンツ要求送信手段、前記購入したコンテンツの再生権利を前記コンテンツ保管装置より一時譲渡させ、前記購入したコンテンツを前記コンテンツ保管装置よりコピーするか又はストリーミング再生するかのいずれかの手法によりコンテンツを再生する再生手段を備える再生端末
とを有することを特徴とするコンテンツ配信システム。
【請求項９】
複数のコンテンツを格納する配信コンテンツ記憶部、受信するコンテンツ購入要求を基に前記配信コンテンツ記憶部より要求されたコンテンツを取得し、要求された転送先へコンテンツを配信するコンテンツ配信手段を備えるコンテンツ配信サーバと、
コンテンツ管理の正当性を証明するコンテンツ保管装置認証局より認証を受け、前記転送先として前記コンテンツを受信して格納する第１のコンテンツ保管装置と、
前記コンテンツ保管装置認証局より認証を受けた第２のコンテンツ保管装置と、
前記第１のコンテンツ保管装置に保管されているコンテンツ及びこのコンテンツの再生権利を、前記第２のコンテンツ保管装置に対し転送させ保管させる要求を送信する再生端末
とを有することを特徴とするコンテンツ配信システム。
【発明の詳細な説明】
【技術分野】
【０００１】
本発明は、コンテンツプロバイダ側のコンテンツ配信サーバから配信される映像や音声のデジタルコンテンツを、ネットワークを介してコンテンツ保管装置に保管させ、適宜保管しているデジタルコンテンツを受信し、再生する再生端末、コンテンツ保管装置及びコンテンツ配信システムに関するものである。
【背景技術】
【０００２】
ネットワークを介して映像や音楽のデジタルコンテンツを個人の再生端末に転送するデジタルコンテンツの流通システムは知られている。このシステムでは、図２０に示すように、コンテンツプロバイダのコンテンツ配信サーバ５がデジタルコンテンツをデータファイルとして送信し、ユーザはこのデータファイルを個人のパソコン等のホスト端末７にダウンロードする。次に、ユーザは、１つ以上の専用の携帯用再生端末８，９等（以下、「第１の再生端末及び第２の再生端末」と記載）とホスト端末７をＵＳＢ（ユニバーサルシリアルバス）接続し、ダウンロードされているデジタルコンテンツファイルを第１の再生端末８及び第２の再生端末９に一時再生権利譲渡による転送を行う（以下、「チェックアウトする」と記載）。又、第１の再生端末８及び第２の再生端末９よりチェックアウトしたデジタルコンテンツファイルをホスト端末７に再転送する（以下、「チェックイン」と記載）。チェックアウトするとその転送可能回数も減少する。また、チェックアウトした曲をチェックインすることで減少した転送可能回数をもとに戻すことができる。チェックアウト可能回数は各再生機器により異なる。
【０００３】
このようにコンテンツ配信サーバ５からユーザ側にダウンロードされたデジタルコンテンツは、ホスト端末７且つ限定された数の再生端末のみでしか実行できないように制限が設けられる。ダウンロードしたホスト端末７の識別方法は、配信システム毎によって独自の方法を採用している。例えば、ＣＰＵの情報やネットワークカードの情報などパソコンを構成するハードウェアの情報と、ＢＩＯＳ（ベーシックインプットアウトプットシステム）あるいはＯＳ（オペレーティングシステム）等のソフトウェアの情報を組み合わせてホスト端末７の識別を行っている（非特許文献１参照。）。
【非特許文献１】井澤秀人、諸星利弘、高橋正樹著、「東芝レビュー  ポータブルセキュアオーディオプレーヤ」２００３年  Ｖｏｌ．５８  Ｎｏ．６  （Ｐ．４８−５１）
【発明の開示】
【発明が解決しようとする課題】
【０００４】
しかしながら、パソコンのハードウェアの技術改良およびＯＳのバージョンアップは頻繁に行われており、ユーザ個人のパソコンでも購入して数年を経過すると買い替えやグレードアップの必要が生じる。この場合、従来の、コンテンツプロバイダから購入してダウンロードしたデジタルコンテンツをユーザのホスト端末７に保存するシステムの場合、デジタルコンテンツの再生やチェックイン、チェックアウトを行えるホスト端末はホスト端末７に限定されるので、パソコンを買い換えると今まで購入したデジタルコンテンツの権利を損失するという問題があった。あるいはホスト端末７から第１の再生端末８及び第２の再生端末９に既にチェックアウトしたデジタルコンテンツのみしか利用できないという問題があった。
【０００５】
本発明は映像や音声のデジタルコンテンツの安全な保管場所を提供し、長期に渡り、デジタルコンテンツをチェックイン及びチェックアウトさせることが可能な再生端末、コンテンツ保管装置及びコンテンツ配信システムを提供することを目的とする。
【課題を解決するための手段】
【０００６】
上記の問題点を鑑みて、本発明の第１の特徴は、購入したコンテンツを、購入元のコンテンツ配信サーバ（５）からコンテンツ管理の正当性を証明するコンテンツ保管装置認証局（４）より認証を受けたコンテンツ保管装置（３）に対し転送させ保管させるコンテンツ購入要求を送信するコンテンツ購入要求送信手段（７５ａ）と、購入したコンテンツをコンテンツ保管装置（３）より取得するコンテンツ要求を送信するコンテンツ要求送信手段（７５ｃ）と、購入したコンテンツの再生権利をコンテンツ保管装置（３）より一時譲渡させることによりコンテンツを再生する再生手段（７５ｅ）と、購入したコンテンツの再生権利が一時譲渡中である場合、再生権利がコンテンツ保管装置（３）において復活するまでコンテンツ保管装置（３）及び購入したコンテンツの再生権利を一時譲渡されている他の装置より購入したコンテンツを取得させず、再生権利がコンテンツ保管装置（３）において復活するとコンテンツ保管装置（３）より購入したコンテンツの再生権利を一時譲渡させるコンテンツ要求管理手段（７５ｂ）とを備える再生端末であることを要旨とする。
【０００７】
本発明の第２の特徴は、購入したコンテンツを、購入元のコンテンツ配信サーバ（５）からコンテンツ管理の正当性を証明するコンテンツ保管装置認証局（４）より認証を受けたコンテンツ保管装置（３）に対し転送させ保管させるコンテンツ購入要求を送信するコンテンツ購入要求送信手段（７５ａ）と、購入したコンテンツをコンテンツ保管装置（３）より取得するコンテンツ要求を送信するコンテンツ要求送信手段（７５ｃ）と、購入したコンテンツの再生権利をコンテンツ保管装置（３）より一時譲渡させ、購入したコンテンツをコンテンツ保管装置（３）よりコピーするか又はストリーミング再生するかのいずれかの手法によりコンテンツを再生する再生手段（７５ｅ）とを備える再生端末であることを要旨とする。
【０００８】
本発明の第３の特徴は、購入したコンテンツを、購入元のコンテンツ配信サーバ（５）からコンテンツ管理の正当性を証明するコンテンツ保管装置認証局（４）より認証を受けたコンテンツ保管装置（３）に対し転送させ保管させるコンテンツ購入要求を送信するコンテンツ購入要求送信手段（７５ａ）と、購入したコンテンツをコンテンツ保管装置（３）より取得するコンテンツ要求を送信するコンテンツ要求送信手段（７５ｃ）と、コンテンツ保管装置（３）に保管されているコンテンツ及びこのコンテンツの再生権利を、コンテンツ保管装置認証局（４）により認証を受けた他のコンテンツ保管装置（３）に対し転送させ保管させるコンテンツ移動依頼手段（７５ｇ）とを備える再生端末であることを要旨とする。
【０００９】
本発明の第４の特徴は、複数のコンテンツを保持するコンテンツ配信サーバ（５）と、コンテンツ配信サーバ（５）にコンテンツの配信を依頼する第１の再生端末（１）及び第２の再生端末（２）との間に配置されるコンテンツ保管装置（３）であって、第１の再生端末（１）及び第２の再生端末（２）からのコンテンツ配信要求を基にコンテンツ配信サーバ（５）より配信されたコンテンツを記憶するコンテンツ記憶部（３７）と；  コンテンツ記憶部（３７）に格納されるコンテンツを再生するための再生権利の一時譲渡を要求するコンテンツ要求を第１の再生端末（１）及び第２の再生端末（２）より受信するコンテンツ要求受信手段（５５ｄ）と；  コンテンツの再生権利を第１の再生端末（１）に一時譲渡している際に第２の再生端末（２）よりコンテンツ要求を受信した場合、再生権利が第１の再生端末（１）より再譲渡されるまではコンテンツの再生権利を第２の再生端末（２）に譲渡しないコンテンツ管理手段（５５ｂ）とを備えるコンテンツ保管装置（３）であることを要旨とする。
【００１０】
本発明の第５の特徴は、複数のコンテンツを保持するコンテンツ配信サーバ（５）と、コンテンツ配信サーバ（５）にコンテンツの配信を依頼する再生端末との間に配置されるコンテンツ保管装置（３）であって、再生端末からのコンテンツ配信要求を基にコンテンツ配信サーバ（５）より配信されたコンテンツを記憶するコンテンツ記憶部（３７）と；  コンテンツ記憶部（３７）に格納されるコンテンツを再生するための再生権利の一時譲渡を要求するコンテンツ要求を再生端末より受信するコンテンツ要求受信手段（５５ｄ）と；  コンテンツをコンテンツ記憶部（３７）よりコピーするか又はストリーミング再生するかのいずれの手法により再生させるかを選択させた上で再生端末にコンテンツを送信するコンテンツ送信手段（５５ｆ）とを備えるコンテンツ保管装置（３）であることを要旨とする。
【００１１】
本発明の第６の特徴は、複数のコンテンツを保持するコンテンツ配信サーバ（５）と、コンテンツ配信サーバ（５）にコンテンツの配信を依頼する再生端末との間に配置されるコンテンツ保管装置（３）であって、再生端末からのコンテンツ配信要求を基にコンテンツ配信サーバ（５）より配信されたコンテンツを記憶するコンテンツ記憶部（３７）と；  コンテンツ管理の正当性を証明するコンテンツ保管装置（３）認証局に対し認証を提示する認証提示手段（５５ｅ）と；  再生端末からの要求により、コンテンツ保管装置（３）認証局より認証を受けた他のコンテンツ保管装置（３）よりコンテンツ記憶部（３７）に格納するためのコンテンツを受信するコンテンツ受信手段（５５ａ）と；  再生端末からの要求により、コンテンツ記憶部（３７）に格納されているコンテンツをコンテンツ保管装置（３）認証局より認証を受けた他のコンテンツ保管装置（３）に対し送信するコンテンツ送信手段（５５ｆ）とを備えるコンテンツ保管装置（３）であることを要旨とする。
【００１２】
本発明の第７の特徴は、複数のコンテンツを格納する配信コンテンツ記憶部（６１）、受信するコンテンツ購入要求を基に配信コンテンツ記憶部（６１）より要求されたコンテンツを取得し、要求された転送先へコンテンツを配信するコンテンツ配信手段（６３）を備えるコンテンツ配信サーバ（５）と、コンテンツ管理の正当性を証明するコンテンツ保管装置認証局（４）より認証を受け、転送先としてコンテンツを受信して格納するコンテンツ保管装置（３）と、購入したコンテンツをコンテンツ保管装置（３）より取得するコンテンツ要求を送信するコンテンツ要求送信手段（７５ｃ）、購入したコンテンツの再生権利をコンテンツ保管装置（３）より一時譲渡させることによりコンテンツを再生する再生手段（７５ｅ）を備える第１の再生端末（１）と、購入したコンテンツの再生権利が第１の再生端末（１）に一時譲渡中である場合、再生権利がコンテンツ保管装置（３）において復活するまで購入したコンテンツをコンテンツ保管装置（３）及び第１の再生端末（１）より取得させず、再生権利がコンテンツ保管装置（３）において復活するとコンテンツ保管装置（３）より購入したコンテンツの再生権利を一時譲渡させる第２の再生端末（２）とを有するコンテンツ配信システムであることを要旨とする。
【００１３】
本発明の第８の特徴は、複数のコンテンツを格納する配信コンテンツ記憶部（６１）、受信するコンテンツ購入要求を基に配信コンテンツ記憶部（６１）より要求されたコンテンツを取得し、要求された転送先へコンテンツを配信するコンテンツ配信手段（６３）を備えるコンテンツ配信サーバ（５）と、コンテンツ管理の正当性を証明するコンテンツ保管装置認証局（４）より認証を受け、転送先としてコンテンツを受信して格納するコンテンツ保管装置（３）と、購入したコンテンツをコンテンツ保管装置（３）より取得するコンテンツ要求を送信するコンテンツ要求送信手段（７５ｃ）、購入したコンテンツの再生権利をコンテンツ保管装置（３）より一時譲渡させ、購入したコンテンツをコンテンツ保管装置（３）よりコピーするか又はストリーミング再生するかのいずれかの手法によりコンテンツを再生する再生手段（７５ｅ）を備える再生端末とを有するコンテンツ配信システムであることを要旨とする。
【００１４】
本発明の第９の特徴は、複数のコンテンツを格納する配信コンテンツ記憶部（６１）、受信するコンテンツ購入要求を基に配信コンテンツ記憶部（６１）より要求されたコンテンツを取得し、要求された転送先へコンテンツを配信するコンテンツ配信手段（６３）を備えるコンテンツ配信サーバ（５）と、コンテンツ管理の正当性を証明するコンテンツ保管装置認証局（４）より認証を受け、転送先としてコンテンツを受信して格納する第１のコンテンツ保管装置（３）と、コンテンツ保管装置認証局（４）より認証を受けた第２のコンテンツ保管装置（３）と、第１のコンテンツ保管装置（３）に保管されているコンテンツ及びこのコンテンツの再生権利を、第２のコンテンツ保管装置（３）に対し転送させ保管させる要求を送信する再生端末とを有するコンテンツ配信システムであることを要旨とする。
【発明の効果】
【００１５】
本発明の再生端末、コンテンツ保管装置及びコンテンツ配信システムによると、映像や音声のデジタルコンテンツを安全且つ確実にユーザの再生端末に配信するとともに、認証されたコンテンツ保管装置にコンテンツを保管することで、ユーザがデジタルコンテンツを有効再生できる期間を長く保つことができる。
【００１６】
また、コンテンツ保管装置を複数存在させ、相互にコンテンツの移動を可能とすることにより、ユーザはコンテンツ保管装置の選択を自由に行うことが出来る。この結果、ユーザの利便性や経済的なメリットを高めることができる。
【発明を実施するための最良の形態】
【００１７】
以下、本発明の実施の形態に係る再生端末を用いたコンテンツ配信システム１００について説明する。尚、本発明の実施の形態において使用される機器、手法等は一例であり、本発明はこれらに限定されるものでないことは勿論である。
【００１８】
（第１の実施の形態）
コンテンツ仲介システムは、図１に示すように、ユーザ側の第１の再生端末１及び第２の再生端末２と、コンテンツプロバイダ業者側のコンテンツ保管装置３、コンテンツ保管装置認証局４及びコンテンツ配信サーバ５より構成される。各装置間は有線、無線の通信網で接続され、通信可能となっている。
【００１９】
コンテンツ配信サーバ５は映像や音声のデジタルコンテンツをインターネット上の店舗で販売している。有料コンテンツを購入する場合は、クレジットカードによる代金回収などの決済手段が必要となるので、コンテンツ配信サーバ５からコンテンツを購入するユーザは決済に必要なユーザ情報を事前に登録しておき、コンテンツ配信サーバ５が発行管理するユーザＩＤやパスワードを用いてコンテンツの購入処理を進める。
【００２０】
コンテンツ配信サーバ５は、コンテンツファイルを記憶する配信コンテンツ記憶部６１と、第１の再生端末１又は第２の再生端末２よりコンテンツの購入要求を受信する購入要求受信手段６２と、要求されたコンテンツファイルを配信コンテンツ記憶部６１より取得しコンテンツ保管装置３に対して配信するコンテンツ配信手段６３を備えている。尚、コンテンツ配信手段６３は、コンテンツを暗号化してコンテンツ保管装置３に配信することが好ましい。
【００２１】
コンテンツ保管装置３はデジタルコンテンツを保存するデータストレージサーバである。コンテンツ保管サービスを運営する会社によって運営されており、保存されたコンテンツや暗号化されたコンテンツの鍵データを安全に保存する。コンテンツ保管装置３はコンテンツのバックアップやユーザの登録などの保守業務も行う。
【００２２】
第１の再生端末１及び第２の再生端末２はモバイル性のあるビデオビューワや音楽プレーヤである。個々の端末には有線無線にてインターネットへの接続機能が内蔵されており、ホスト端末を介さずともインターネットを経由してコンテンツ保管装置３からデジタルコンテンツをチェックアウトあるいはチェックインすることができる。コンテンツファイルをチェックインした第１の再生端末１及び第２の再生端末２は、映像や音声を再生する。
【００２３】
第１の再生端末１及び第２の再生端末２にはＷｅｂブラウザが内蔵されており、コンテンツ配信サーバ５のコンテンツ案内画面のブラウジングやお試しの無料コンテンツの視聴が可能であり、デジタルコンテンツを購入するための購入処理を行う。
【００２４】
デジタルコンテンツはトリプルＤＥＳ（データエンクリプションスタンダード）やＡＥＳ（アドバンストエンクリプションスタンダード）で暗号化されており、事故等によってコンテンツが流出しても著作権の保護がなされるようになっている。またコンテンツを暗号化するコンテンツ鍵はＰＫＩ（パブリックキーインフラストラクチャ）によって暗号化され、コンテンツ配信サーバ５からダウンロードする鍵の安全性も確保されている。コンテンツ保管装置３から第１の再生端末１及び第２の再生端末２へチェックアウトあるいはチェックインするコンテンツも同様に暗号化されたままネットワーク上を転送する。ＰＫＩによるコンテンツ鍵は転送の際にＳＳＬ（セキュアソケットレイヤ）プロトコルを使うことで更に安全に配布することが可能である。
【００２５】
コンテンツ保管装置認証局４は、コンテンツの保管サービスを行うコンテンツ保管装置３が認証されたコンテンツ保管業者によるものであることを証明するために、コンテンツ保管装置３の正当性を示す証明書を発行する機関である。コンテンツ保管装置３はこのコンテンツ保管装置認証局４より認証を受けているので、ユーザ等の第１の再生端末１及び第２の再生端末２に対して証明書を提示することによって安全で正当なコンテンツ保管場所であることを示すことが出来る。
【００２６】
（コンテンツ保管装置）
コンテンツ保管装置３は、図２に示すように、入力装置５１、出力装置５２、主記憶装置５３、補助記憶装置５４、通信インターフェース５６、通信制御装置５７及びセントラルプロセッシングユニット（ＣＰＵ）５５等を備えている。
【００２７】
主記憶装置５３は、処理の手順を記述したプログラムや処理されるべきデータを一時的に記憶し、ＣＰＵ５５の要請に従ってプログラムの機械命令やデータを引き渡す。尚、プログラムの内容については後述する。更にＣＰＵ５５で処理されたデータは主記憶装置５３に書き込まれる。主記憶装置５３とＣＰＵ５５はアドレスバス、データバス、制御信号等で結ばれている。尚、ＣＰＵ５５については後述する。
【００２８】
入力装置５１は、キーボード、マウス等のデータの入力モジュールを指す。又、通信インターフェース５６を介してＣＤ、ＭＤ等の外部の記憶装置からデータを入力しても良い。出力装置５２は、ＣＲＴモニタ、液晶モニタ、プリンタ等の出力モジュールを指す。通信インターフェース５６は、有線、無線、光ファイバ等のネットワークと物理的に接続するモジュールを指す。通信制御装置５７は、通信インターフェース５６を介してデータを外部と送受信する際の制御信号を生成し、制御を行うモジュールである。
【００２９】
補助記憶装置５４は、ＣＰＵ５５の作業領域等の補助的なメモリである。主記憶装置５３及び補助記憶装置５４としては、具体的にランダムアクセスメモリ（ＲＡＭ）、リードオンリーメモリ（ＲＯＭ）、フラッシュメモリ及びハードディスク（ＨＤＤ）等がある。第１の実施の形態では、補助記憶装置５４は、図３に示すように、コンテンツ記憶部３７及びユーザ情報記憶部３８を格納する。コンテンツ記憶部３７は、コンテンツリスト３７ａ、コンテンツデータ３７ｂ及びチェックインアウト回数データ３７ｃ等を格納する。ユーザ情報記憶部３８は、ユーザ氏名、ユーザＩＤ、パスワード等のログインに必要な情報を格納する。尚、主記憶装置５３内の情報が補助記憶装置５４内に、補助記憶装置５４内の情報が主記憶装置５３内に格納されていても構わない。
【００３０】
ＣＰＵ５５は、図３に示すように、コンテンツ受信手段５５ａ、コンテンツ管理手段５５ｂ、ユーザ情報管理手段５５ｃ、コンテンツ要求受信手段５５ｄ、コンテンツ送信手段５５ｆ、コンテンツ暗号手段５５ｇ及びコンテンツ復号化手段５５ｈ等を備えている。コンテンツ管理手段５５ｂは、補助記憶装置５４に配置されるコンテンツ記憶部３７と接続され、ユーザ情報管理手段５５ｃは、補助記憶装置５４に配置されるユーザ情報記憶部３８と接続されている。
【００３１】
コンテンツ受信手段５５ａは、コンテンツ配信サーバ５より配信されたコンテンツを受信するモジュールである。コンテンツ管理手段５５ｂは、コンテンツ記憶部３７に格納されるデータの検索、更新及び削除等のデータ管理を行うモジュールである。ユーザ情報管理手段５５ｃは、ユーザ情報記憶部３８に格納されるデータの検索、更新及び削除等のデータ管理を行うモジュールである。
【００３２】
コンテンツ要求受信手段５５ｄは、第１の再生端末１又は第２の再生端末２よりコンテンツ要求を受信するモジュールである。コンテンツ送信手段５５ｆは、コンテンツを要求元である第１の再生端末１又は第２の再生端末２にコンテンツを送信するモジュールである。コンテンツ暗号手段５５ｇは、コンテンツを暗号化するモジュールである。コンテンツ復号化手段５５ｈは、コンテンツを復号化するモジュールである。
【００３３】
（再生端末）
第１の再生端末１又は第２の再生端末２は、図４に示すように、入力装置７１、表示装置７２、主記憶装置７３、補助記憶装置７４、ＣＰＵ７５、通信インターフェース７６、通信制御装置７７、暗号デコーダ７８ａ、圧縮デコーダ７８ｂ、Ｄ／Ａコンバータ７９及びアンプ８０等を備えている。
【００３４】
尚、ＣＰＵ７５は、図５に示すように、コンテンツ購入要求送信手段７５ａ、コンテンツ要求管理手段７５ｂ、コンテンツ要求送信手段７５ｃ、コンテンツ受信手段７５ｄ、再生手段７５ｅ及びコンテンツ復号手段７５ｆ等を備えている。
【００３５】
コンテンツ購入要求送信手段７５ａは、コンテンツ配信サーバ５に対し、コンテンツ購入要求を送信するモジュールである。コンテンツ要求管理手段７５ｂは、コンテンツ保管装置３に送信するコンテンツ再生要求、具体的にはチェックイン、チェックアウトの管理を行うモジュールである。購入したコンテンツの再生権利が全て第１の再生端末１にチェックアウト中である場合、再生権利がコンテンツ保管装置３において復活するまで、第２の再生端末２は、コンテンツ保管装置３よりコンテンツを取得できない。第１の再生端末１からも第２の再生端末２に直接チェックアウトすることはできない。再生権利が第１の再生端末１よりコンテンツ保管装置に復活した、つまりチェックインされた場合、第２の再生端末２はコンテンツ保管装置よりコンテンツをチェックアウトする。第２の再生端末２がチェックアウト中である場合も同様である。
【００３６】
コンテンツ要求送信手段７５ｃは、コンテンツ要求をコンテンツ保管装置３に送信するモジュールである。コンテンツ受信手段７５ｄは、コンテンツ保管装置３より送信されるコンテンツを受信するモジュールである。再生手段７５ｅは、受信したコンテンツを再生するモジュールである。コンテンツ復号手段７５ｆは、受信したコンテンツを復号化するモジュールである。
【００３７】
表示装置７２は、携帯用端末装置の小型液晶モニタ等を指す。表示装置７２はＷｅｂブラウザを内蔵している。暗号デコーダ７８ａは、コンテンツを暗号化する為のモジュールである。圧縮デコーダ７８ｂは、圧縮された動画データを解凍するためのモジュールである。Ｄ／Ａコンバータ７９はデジタル信号をアナログ信号に変換するモジュールである。アンプ８０は、アナログ信号の増幅器である。その他の装置は図２のコンテンツ保管装置３で使用する装置と同様であるため説明を省略する。
【００３８】
（コンテンツのパケット構造）
コンテンツ保管装置３より第１の再生端末１及び第２の再生端末２に送信されるコンテンツファイルは図１２に示すコンテナ構造を有する。コンテンツを暗号化するコンテンツ鍵はコンテナのヘッダ部分に置かれている。このコンテンツ鍵はさらに端末のＩＤやネットワークカードのＭＡＣアドレス等の端末を特定する情報を使って暗号化される。コンテンツ鍵の暗号化には安全性の高い公開鍵暗号、例えばＲＳＡが採用される。
【００３９】
ヘッダにはユーザＩＤ、端末ＩＤ、コンテンツ鍵と共にコンテンツの属性を示すメタ情報としてコンテンツ種類、コンテンツＩＤ、タイトル名、アーティスト名、圧縮方式などが記載される。コンテンツやメタ情報などの不正な改変を検出するために署名データも付加されている。署名にはＤＳＡ(デジタルシグニチャアルゴリズム)等を適用するのが好ましい。
【００４０】
映像や音声のコンテンツはＭＰＥＧ２（ムービングピクチャコーディングエキスパートグループ２）やＭＰＥＧ４などの圧縮方式で圧縮されたデータであるが、不正利用を制限するために暗号化されている。コンテンツの暗号化は共通鍵暗号を使って暗号化される。例えばトリプルＤＥＳやＡＥＳ(アドバンスドエンクリプションスタンダード）等が好ましい。
【００４１】
（再生端末登録の動作）
コンテンツ配信サーバ５及びコンテンツ保管装置３と、第１の再生端末１及び第２の再生端末２をアクセス可能とするには、予めコンテンツ配信サーバ５及びコンテンツ保管装置３に、第１の再生端末１及び第２の再生端末２を登録しておく必要がある。この登録の際には、図１９に示すように、ユーザのパソコン等のホスト端末７と第１の再生端末又は第２の再生端末をＵＳＢ等を介して接続しておき、ホスト端末７からコンテンツ保管装置３に接続して端末を登録する為の画面を選択する。このとき、第１の再生端末１及び第２の再生端末２を全世界でユニークに識別するデバイスＩＤを取得し、このデバイスＩＤをコンテンツ保管装置３のユーザ情報記憶部３８に格納する。これによって、コンテンツ保管装置３から第１の再生端末１及び第２の再生端末２にチェックアウトするコンテンツの制限が可能となり、セキュリティを高めることができる。
【００４２】
（コンテンツ購入の動作）
次に、第１の再生端末１及び第２の再生端末２がコンテンツを購入し、コンテンツ配信サーバ５からコンテンツ保管装置３へコンテンツをダウンロードさせる動作について図６のフロー図を用いて説明する。尚、ユーザの第１の再生端末１及び第２の再生端末２はすでにコンテンツ配信サーバ５に登録され、コンテンツ配信サーバ５はユーザ情報を有しているものとする。又、第１の再生端末１及び第２の再生端末２はすでにコンテンツ保管装置３に登録され、コンテンツ保管装置３はユーザ情報を有しているものとする。
【００４３】
（ａ）先ずステップＳ１０１において、第１の再生端末１及び第２の再生端末２は、コンテンツ配信サーバ５にＵＲＬ等を用いてアクセスする。ステップＳ１０２において、コンテンツ配信サーバ５は図７のログイン画面を図４の第１の再生端末１又は第２の再生端末２の表示装置７２上に提示させ、ユーザにユーザＩＤ及びパスワード等の入力を促す。入力されたユーザＩＤ及びパスワードはコンテンツ配信サーバ５に送信される。
【００４４】
（ｂ）ステップＳ１０３において、図３のコンテンツ配信サーバ５のユーザ情報管理手段５５ｃが、受信したユーザＩＤ及びパスワードが適正であるか、ユーザ情報記憶部３８の情報を基に確認する。適正であると確認されると、コンテンツ管理手段５５ｂが、購入可能なコンテンツリスト３７ａ等を第１の再生端末１及び第２の再生端末２に送信する。ユーザＩＤ及びパスワードが適正でない場合、処理は中断される。
【００４５】
（ｃ）ステップＳ１０４において、第１の再生端末１及び第２の再生端末２は、図４の表示装置７２上に、図８のように購入可能なコンテンツリスト３７ａを表示し、ユーザに購入するコンテンツを選択させる。更にステップＳ１０５にてユーザにコンテンツの価格及び購入条件等を確認させる。ステップＳ１０６においては、図９のデジタル保管装置ログイン画面を表示装置７２上に提示し、ユーザＩＤ、パスワード及びコンテンツ保管装置３のＵＲＬ等をユーザに入力させる。ステップＳ１０７において図５のコンテンツ購入要求送信手段７５ａは、入力された情報をコンテンツ購入要求としてコンテンツ配信サーバ５に送信する。
【００４６】
（ｄ）ステップＳ１０８において、図１のコンテンツ配信サーバ５の購入要求受信手段６２は、このコンテンツ購入要求を受信する。コンテンツ配信手段６３は、要求されたコンテンツを配信コンテンツ記憶部６１より取得し、ステップＳ１０９にてユーザより指定されたコンテンツ保管装置３に送信する。この際、コンテンツは暗号化されて送信される。ステップＳ１１０において図３のコンテンツ保管装置３のコンテンツ受信手段５５ａは、このコンテンツを受信する。コンテンツ管理手段５５ｂはこの暗号化されたコンテンツをコンテンツ記憶部３７に格納する。最後にステップＳ１１１において、第１の再生端末１及び第２の再生端末２の表示装置７２上に、コンテンツ保管装置３のダウンロードが完了したこと報知する画面を提示する。
【００４７】
（チェックアウト処理の動作）
次にコンテンツ保管装置から第１の再生端末１及び第２の再生装置２へのチェックアウトの処理手順について図１０のフロー図を用いて説明する。
【００４８】
（ａ）先ずステップＳ２０１において、使用するコンテンツ保管装置３のＵＲＬをユーザに入力させ、このＵＲＬにてコンテンツ保管装置３のアクセス画面を取得し、提示する。ステップＳ２０２において、ユーザにアクセス画面上のユーザＩＤ及びパスワードを入力させる。図５のコンテンツ要求送信手段７５ｃは、このユーザＩＤ及びパスワードを含むコンテンツ要求をコンテンツ保管装置３に送信する。
【００４９】
（ｂ）ステップＳ２０３において、ユーザＩＤ及びパスワードの確認後、図３のコンテンツ保管装置３のコンテンツ管理手段５５ｂは再生可能なコンテンツリスト３７ａをコンテンツ記憶部３７より取得し、要求元の第１の再生端末１及び第２の再生装置２に送信する。ステップＳ２０４において、このコンテンツリスト３７ａは図１１のように第１の再生端末１及び第２の再生装置２の表示装置７２に提示される。コンテンツリスト３７ａは、コンテンツのタイトル名、有効期限、チェックアウトを実施した日付、チェックアウトが実行されたコンテンツのチェックアウトした再生端末の識別名称等の項目を含む。尚、リスト中、チェックアウトを実施した日付やチェックアウトした端末名称が表示されていないコンテンツがチェックアウト可能なコンテンツとなる。この際、コンテンツ配信サーバ５との契約上、チェックアウトが複数回可能である場合、コンテンツ管理手段５５ｂは、図３のコンテンツ記憶部３７のチェックインアウト回数データ３７ｃ領域のチェックアウトカウンタを加算・減算し、コンテンツのチェックイン、チェックアウトの管理を行う。具体的には、コンテンツ管理手段５５ｂは、コンテンツを第１の再生端末１にチェックアウトする際にはチェックアウトのカウンタを１つ減少させる。カウンタの数値が０になると、他の装置である第２の再生端末２によりこのコンテンツをチェックアウト希望されても、すでに契約上規定されたチェックアウトが行われているので、これ以上コンテンツのチェックアウトは行わない。この際、チェックアウト不可能なコンテンツが選択された等のエラー画面等を表示する。又、第１の再生端末１より再度チェックインされると、カウンタを１つ増加させ、第２の再生端末２はチェックインが可能となる。
【００５０】
第１の再生端末１及び第２の再生装置２は、ユーザよりコンテンツリスト３７ａ内のコンテンツを要求されると、このコンテンツ要求をコンテンツ保管装置３に送信する。
【００５１】
（ｃ）ステップＳ２０５において、コンテンツ保管装置３のコンテンツ要求受信手段５５ｄが選択されたコンテンツリストを受信すると、コンテンツ管理手段５５ｂが、この選択されたコンテンツをコンテンツ記憶部３７のコンテンツデータ３７ｂより取得し、コンテンツ送信手段５５ｆがこのコンテンツデータを要求元の第１の再生端末１及び第２の再生装置２に送信する。最後にステップＳ２０６において、図５の第１の再生端末１又は第２の再生装置２の再生手段７５ｅは、受信したコンテンツデータを再生する。
【００５２】
尚、コンテンツ配信サーバ５から新規コンテンツを購入した後等に、コンテンツ保管装置３より第１の再生端末１若しくは第２の再生端末２に購入したコンテンツをチェックアウトする場合、ユーザＩＤ等の情報がコンテンツ購入の際に入力されているので、コンテンツ再生の際のユーザ入力箇所の一部又は全部をシステムに自動入力させることも可能である。
【００５３】
コンテンツ保管装置３から第１の再生端末１及び第２の再生端末２にコンテンツをチェックアウトあるいはチェックインする場合、第１の実施の形態ではユーザＩＤとパスワード等を用いてコンテンツ保管装置３にアクセス可能となるよう構成してあるが、コンテンツ保管装置３に接続可能な再生端末そのものを限定することも可能である。この場合、再生端末の保持するユニークなデバイスＩＤ等を使用して端末機器を識別する。
【００５４】
尚、第１の実施の形態においては、コンテンツ配信サーバ５から第１の再生端末１及び第２の再生端末２へのコンテンツのダウンロード手順を、コンテンツ配信サーバ５からコンテンツ保管装置３へ、次いでコンテンツ保管装置３から第１の再生端末１及び第２の再生端末２へと２つに分けて説明したが、ユーザが新規にコンテンツを購入する場合、コンテンツ保管装置３へコンテンツの保存を行うと同時に第１の再生端末１及び第２の再生端末２にチェックアウトすることが可能である。この２つの手順の実施はコンテンツ配信システムでは必須となるが、ユーザが無意識のうちに、要求したコンテンツがコンテンツ配信サーバ５からユーザの再生端末に配信されることが必要となる。このため、２つの手順を一連の動作とするアプリケーション作成が必要となる。
【００５５】
（第２の実施の形態）
第１の実施の形態においては、単一のコンテンツ保管装置３とユーザの再生端末がコンテンツの保管サービス契約をする場合について説明したが、複数のコンテンツ保管装置３のサービスの内容、つまり保管可能データ総容量の上限やコンテンツの総数の上限や検索機能の性能、あるいはサービスを提供した対価として支払う価格等をユーザが判断し、ユーザが自由に他のコンテンツ保管装置へコンテンツを移動することが出来る方が望ましい。以下、コンテンツ保管装置認証局４から認証されている複数のコンテンツ保管装置間においてはコンテンツの移動が可能なように構成されたコンテンツ配信システム２００について説明する。
【００５６】
（第２の実施の形態）
コンテンツ仲介システムは、図１３に示すように、ユーザ側の第１の再生端末１ａ及び第２の再生端末２ａと、コンテンツプロバイダ業者側のコンテンツ保管装置３ａ，３ｂ、コンテンツ保管装置認証局４及びコンテンツ配信サーバ５より構成される。各装置間は有線、無線の通信網で接続され、通信可能となっている。
【００５７】
コンテンツ保管装置認証局４は、コンテンツの保管サービスを行うコンテンツ保管装置３ａ，３ｂが認証されたコンテンツ保管業者によるものであることを証明するために、コンテンツ保管装置３ａ，３ｂの正当性を示す証明書を発行する機関である。インターネット環境でサイト証明を行うための基本技術としては、公開鍵基盤（パブリックキーインフラストラクチャ）が用いられており、本発明のコンテンツ保管装置３ａ，３ｂの証明もこの公開鍵基盤を使って実現するものとする。尚、コンテンツ保管装置認証局４は、コンテンツ保管装置３ａ，３ｂの正当性を示す審査を受け付ける審査受付手段４１、審査を行う審査手段４２、審査の結果に従い証明書を作成する証明書作成手段４３及び証明書をコンテンツ保管装置３ａ、３ｂに送付する証明書送付手段４４等を備えている。
【００５８】
コンテンツ保管装置３ａ，３ｂは、第１の実施の形態と同様に、図２に示すような構造を有し、ＣＰＵ５５は、図１４に示すように、コンテンツ受信手段５５ａ、コンテンツ管理手段５５ｂ、ユーザ情報管理手段５５ｃ、コンテンツ要求受信手段５５ｄ、認証提示手段５５ｅ、コンテンツ送信手段５５ｆ、コンテンツ暗号手段５５ｇ及びコンテンツ復号化手段５５ｈ等を備えている。認証提示手段５５ｅは、コンテンツ保管装置認証局４から発行されたサイト証明をコンテンツ配信サーバや再生端末に提示して、コンテンツ管理の正当性を証明するコンテンツ保管装置であることを示すモジュールである。その他の装置は第１の実施の形態と同様であるため説明を省略する。
【００５９】
第１の再生端末１ａ又は第２の再生端末２ａは、第１の実施の形態と同様に、図４に示すような構造を有し、ＣＰＵ７５は、図１５に示すように、コンテンツ購入要求送信手段７５ａ、コンテンツ要求管理手段７５ｂ、コンテンツ要求送信手段７５ｃ、コンテンツ受信手段７５ｄ、再生手段７５ｅ、コンテンツ復号手段７５ｆ、コンテンツ移動依頼手段７５ｇ及びコンテンツ保管庫証明確認手段７５ｈ等を備えている。コンテンツ移動依頼手段７５ｇは、コンテンツ保管装置３ａ，３ｂの移動を依頼するためのモジュールである。コンテンツ保管庫証明確認手段７５ｈは、接続するコンテンツ保管庫が正当な保管庫であるかを確認するモジュールである。その他の装置は第１の実施の形態と同様であるため説明を省略する。
【００６０】
更に、第１の再生端末１ａ及び第２の再生端末２ａがコンテンツを購入し、コンテンツ配信サーバ５からコンテンツ保管装置３ａ，３ｂへコンテンツをダウンロードさせる動作、コンテンツ保管装置３ａ，３ｂから第１の再生端末１ａ及び第２の再生装置２へのチェックアウトする手順については第１の実施の形態と同様であるため説明を省略する。
【００６１】
（コンテンツ保管の正当性認証）
先ず、コンテンツ保管装置３のサービスを実施する業者は、図１６に示すように、公開鍵と秘密鍵のペアを作成する。秘密鍵はコンテンツ保管装置３のサーバ等の安全な場所に保管する。一方公開鍵はコンテンツ保管装置認証局４に渡される。コンテンツ保管装置認証局４はコンテンツ保管装置３の公開鍵であることを調査すると共に、業者がコンテンツ保管装置３のサービスを実施する権利があるか否かの審査を行う。この審査を通過すると、コンテンツ保管装置３の公開鍵は、証明書の有効期限、証明書の発行者名、コンテンツ保管装置３によるサービスを実施する権利のある業者であることを示す情報、バージョン番号等と共にデジタル署名される。この公開鍵等は信頼ある証明書として当該認証局に登録され、かつコンテンツ保管装置３のサービス業者に提供される。サービス業者はコンテンツ保管装置３にてサービスを行う際にこの証明書を他のコンテンツ配信サーバやユーザへ公開し、信頼性を証明することが出来る。
【００６２】
次にユーザよりコンテンツの移動依頼を受けた移動元コンテンツ保管装置３ａが、移動先コンテンツ保管装置３ｂにコンテンツを移動させる際の動作について図１８のフロー図を用いて説明する。
【００６３】
（ａ）先ずステップＳ３０１において、図１５の再生端末のコンテンツ移動依頼手段７５ｇは、移動元コンテンツ保管装置３ａにログインし、コンテンツの移動を依頼する。更にステップＳ３０２において、コンテンツ移動依頼手段７５ｇは、移動先コンテンツ保管装置３ｂにログインし、移動されるコンテンツの保管を依頼する。ステップＳ３０３において、コンテンツ移動依頼手段７５ｇは、ユーザに移動元保管装置３ａのコンテンツリスト３７ａより移動を希望するコンテンツを選択させ、ステップＳ３０４にてコンテンツデータの移動を実行させる。
【００６４】
（ｂ）ステップＳ３０５において、移動元コンテンツ保管装置３ａは、図１７に示すように、移動先コンテンツ保管装置３ｂの証明書Ｂを取得する。更に証明書Ｂがコンテンツ保管装置認証局４の認証を受けたものかどうか確認する。具体的にはコンテンツ保管装置認証局４による署名が付いているかどうか、ＵＲＬは正しいか、コンテンツ保管の権利を有しているか、証明書の有効期限が有効であるか等を確認する。
【００６５】
（ｃ）ステップＳ３０６において、移動先コンテンツ保管装置３ｂは、図１７に示すように、移動元コンテンツ保管装置３ａの証明書Ａを取得する。更に証明書Ａがコンテンツ保管装置認証局４の認証を受けたものかどうか確認する。
【００６６】
（ｄ）最後にステップＳ３０７において、認証結果が適正であった場合、図１７に示すように、移動元コンテンツ保管装置３ａのコンテンツ記憶部３７内のコンテンツリスト３７ａ、コンテンツデータ３７ｂ及びチェックインアウト回数データ３７ｃを、移動先コンテンツ保管装置３ｂのコンテンツ記憶部３７に移動させる。この際、ユーザ認証情報、端末認証情報等のユーザを確定させる情報を確認し、移動させることが好ましい。
【００６７】
（変更例）
第１の再生端末１及び第２の再生端末２はインターネット等のネットワークに接続するためのインタフェース機能が搭載されたデバイスとして説明してきたが、図１９に示すように、ＵＳＢバスやＩＥＥＥ１３９４等のバス接続によってパソコン等のホスト端末に接続し、このホスト端末を経由してコンテンツ保管装置３に接続することも勿論可能である。
【００６８】
第１の再生端末１及び第２の再生端末２で映像や音声のコンテンツを再生する方法はコンテンツ保管装置から一度第１の再生端末１及び第２の再生端末２にコンテンツをチェックアウトしてから再生端末で再生を行う手法について上述したが、接続スピードが高いネットワーク接続の場合はコンテンツのチェックアウト、つまりコピーをすることなく、ストリーミング再生によって映像や音声の再生を行うことができる。この場合は、コンテンツ保管装置３に映像や音声のストリーミングサーバ機能を、第１の再生端末１及び第２の再生端末２のストリーミング再生機能を付加する必要がある。
【００６９】
ストリーミングはコンテンツの移動を伴わないのでチェックイン／チェックアウトの概念にそぐわない。しかし複数の端末の同時に配信する数を制限することはコンテンツの著作権保護の観点から必須の機能である。そこでコンテンツ保管庫が管理しているコンテンツのチェックアウト可能数を同時配信数として同時配信の制限を行う。あるいはストリーミングは登録された再生端末１台に限定する方法を採用してもよい。
【００７０】
ストリーミング再生は、ユーザが音楽コンテンツを数１００曲のリストから選択するため、曲の出だし部分だけを１０秒程度聞いて、チェックアウトするかどうかを判断していくような場合に効果的である。画像についても同様であり、ストリーミングによる映像再生の機能がユーザの利便性、操作性を向上させることが出来る。この場合、ユーザにコンテンツのコピーをさせるかストリーミング再生をさせるか選択させて実行することが好ましい。
【図面の簡単な説明】
【００７１】
【図１】本発明の第１の実施の形態に係るコンテンツ配信システムの概略図である。
【図２】本発明の第１の実施の形態に係るコンテンツ保管装置の構造図である。
【図３】本発明の第１の実施の形態に係るコンテンツ保管装置のＣＰＵ及び補助記憶装置の構造図である。
【図４】本発明の第１の実施の形態に係る再生端末の構造図である。
【図５】本発明の第１の実施の形態に係る再生端末のＣＰＵの構造図である。
【図６】コンテンツ配信サーバからコンテンツ保管装置へコンテンツを配信する処理を表すフロー図である。
【図７】コンテンツ購入の際のログイン画面を示す図である。
【図８】コンテンツ購入の際のコンテンツリスト画面を示す図である。
【図９】コンテンツ保管装置へログインする際の画面を示す図である。
【図１０】コンテンツ保管装置から再生端末へコンテンツを送信する処理を表すフロー図である。
【図１１】チェックアウトの際のコンテンツリストを示す画面である。
【図１２】コンテンツパケットの構造を示すデータ構造図である。
【図１３】本発明の第２の実施の形態に係るコンテンツ配信システムの概略図である。
【図１４】本発明の第２の実施の形態に係るコンテンツ保管装置の構造図である。
【図１５】本発明の第２の実施の形態に係る再生端末の構造図である。
【図１６】コンテンツ保管装置認証局による認証処理を模式的に示す模式図である。
【図１７】コンテンツ保管装置間のコンテンツの移動を模式的に示す模式図である。
【図１８】コンテンツ保管装置間のコンテンツの移動の動作を示すフロー図である。
【図１９】再生端末からホスト端末を介してコンテンツ保管装置に接続する際の装置の構造を示す図である。
【図２０】従来のコンテンツ配信システムを示す概略図である。
【符号の説明】
【００７２】
１，１ａ，８…第１の再生端末
２，２ａ，９…第２の再生端末
３，３ａ，３ｂ…コンテンツ保管装置
４…コンテンツ保管装置認証局
５…コンテンツ配信サーバ
７…ホスト端末
３７…コンテンツ記憶部
３７ａ…コンテンツリスト
３７ｂ…コンテンツデータ
３７ｃ…チェックインアウト回数データ
３８…ユーザ情報記憶部
４１…審査受付手段
４２…審査手段
４３…証明書作成手段
４４…証明書送付手段
５１…入力装置
５２…出力装置
５３…主記憶装置
５４…補助記憶装置
５５…ＣＰＵ
５５ａ…コンテンツ受信手段
５５ｂ…コンテンツ管理手段
５５ｃ…ユーザ情報管理手段
５５ｄ…コンテンツ要求受信手段
５５ｅ…認証提示手段
５５ｆ…コンテンツ送信手段
５５ｇ…コンテンツ暗号手段
５５ｈ…コンテンツ復号化手段
５６…通信インターフェース
５７…通信制御装置
６１…配信コンテンツ記憶部
６２…購入要求受信手段
６３…コンテンツ配信手段
７１…入力装置
７２…表示装置
７３…主記憶装置
７４…補助記憶装置
７５…ＣＰＵ
７５ａ…コンテンツ購入要求送信手段
７５ｂ…コンテンツ要求管理手段
７５ｃ…コンテンツ要求送信手段
７５ｄ…コンテンツ受信手段
７５ｅ…再生手段
７５ｆ…コンテンツ復号手段
７５ｇ…コンテンツ移動依頼手段
７５ｈ…コンテンツ保管庫証明確認手段
７６…通信インターフェース
７７…通信制御装置
７８ａ…暗号デコーダ
７８ｂ…圧縮デコーダ
７９…コンバータ
８０…アンプ
１００…コンテンツ配信システム
２００…コンテンツ配信システム
【図１】
2007156508.tif 000003
【図２】
2007156508.tif 000004
【図３】
2007156508.tif 000005
【図４】
2007156508.tif 000006
【図５】
2007156508.tif 000007
【図６】
2007156508.tif 000008
【図７】
2007156508.tif 000009
【図８】
2007156508.tif 000010
【図９】
2007156508.tif 000011
【図１０】
2007156508.tif 000012
【図１１】
2007156508.tif 000013
【図１２】
2007156508.tif 000014
【図１３】
2007156508.tif 000015
【図１４】
2007156508.tif 000016
【図１５】
2007156508.tif 000017
【図１６】
2007156508.tif 000018
【図１７】
2007156508.tif 000019
【図１８】
2007156508.tif 000020
【図１９】
2007156508.tif 000021
【図２０】
2007156508.tif 000022